(57)【要約】【課題】迅速に止水板を設置できる支柱を提供すること。【解決手段】浸水防止装置の支柱であって、支柱は、側部に凹溝が設けられており、止水板の側端部が、支柱の側方から凹溝の中に嵌め込まれて取り付けられるようになっている、浸水防止装置の支柱において、支柱の上端部が、開閉不可能な閉鎖端になっている。【選択図】図６
2019138074.tif 000002
【特許請求の範囲】
【請求項１】
浸水防止装置の支柱であって、前記支柱は、側部に凹溝が設けられており、止水板の側端部が、前記支柱の側方から前記凹溝の中に嵌め込まれて取り付けられるようになっている、浸水防止装置の支柱において、
前記支柱の上端部が、開閉不可能な閉鎖端になっていることを特徴とする浸水防止装置の支柱。
【請求項２】
前記止水板が巻回可能である請求項１に記載の浸水防止装置の支柱。
【請求項３】
前記止水板が炭素繊維及び熱可塑性樹脂を含む請求項１又は２に記載の浸水防止装置の支柱。
【請求項４】
前記止水板が、スキン部と縦リブ部とを有する請求項１〜３のいずれか１項に記載の浸水防止装置の支柱。
【請求項５】
前記スキン部が、炭素繊維と熱可塑性樹脂との複合材からなる請求項４に記載の浸水防止装置の支柱。
【請求項６】
前記支柱の側部に開閉可能な閉鎖板を有する請求項１〜５のいずれか１項に記載の浸水防止装置の支柱。
【請求項７】
前記支柱の上端部は、前記支柱の側部に着脱不可能に結合されている請求項１〜６のいずれか１項に記載の浸水防止装置の支柱。
【請求項８】
前記支柱の上端部は、前記支柱の側部に溶接により結合されている請求項７に記載の浸水防止装置の支柱。
【請求項９】
請求項１〜８のいずれか１項に記載の浸水防止装置の支柱を含む、浸水防止装置。
【発明の詳細な説明】
【技術分野】
【０００１】
本発明は、止水板の支柱及び浸水防止装置に関し、より具体的には、各種建物の出入口、又は地下の入り口などの浸水の可能性がある箇所に、豪雨時等に設置する止水板の支柱及び浸水防止装置に関する。
【背景技術】
【０００２】
従来、大雨や高潮等の発生時、道路に溢れた水が建物内、地下施設などに浸入するのを防止するため、土嚢や止水板が用いられていた。特に１９９９年に起きた集中豪雨による博多駅前地下浸水事故以来、地下街や地下鉄の出入口では、設置に時間のかかる土嚢ではなく、支柱の間にパネル型の止水壁を差し込む止水板が大きく普及した。
例えば、特許文献１には、水平方向に長い断面矩形状の複数本の基本形枠材を上下に重ね合わせて順次連結すると共に、連結した板体の周囲に縁枠材を装着することにより一枚の止水板とすることが開示されている。このような止水板は、所定の間隔を置いて配置される一対の支柱の対向面に形成された溝と、床上に形成された溝に水密に嵌め込まれて設置される。
【０００３】
しかし、特許文献１に開示される止水板は、基本形枠材及び縁枠材の保管場所の確保が困難で、またこれらの重量が重くて持ち運びが容易ではなく、さらに、止水板の組み立て及び設置に時間がかかるといった問題がある。そのため、軽量で設置や持ち運びが容易となるように、止水板に関する各種検討がなされている。
例えば、特許文献２には、止水板を炭素繊維強化プラスチック製とした防水装置が開示されている。また、特許文献３には、複数本の金属ユニットを互いに接するように板状に配置されてなる金属体と、金属体の一方の面を覆い、金属ユニットを連結する連結シートとを備え、連結シートにより、巻回可能とされた止水板が開示されている。この止水板は、金属板の全部を覆うようにゴム部材がさらに設けられており、ゴム部材が、地下鉄の入り口などに設けられた構造物に密着させられることで水密性が確保されている。
特許文献４には、脱着可能な止水板用の支柱が開示されており、支柱の表面部分に弾性材が取付けられた構成とすることで、止水パネルとの間の密着性を高め、止水性を向上させている。
【先行技術文献】
【特許文献】
【０００４】
【特許文献１】実公平４−２１８５７号公報
【特許文献２】特開２０１６−１９１２３６号公報
【特許文献３】特開２０１７−４８６７２号公報
【特許文献４】特開２０１６−６９９６９号公報
【発明の概要】
【発明が解決しようとする課題】
【０００５】
上述の通り、主に地下鉄や地下街の出入り口において支柱に止水パネルを上から嵌め込む形の止水板が採用されており、地下への出入り口に止水板の支柱があり、階段途中に止水パネルを保管した容器が置かれている設置形態がよくみられるようになった。
しかし、上記の様な特許文献１〜４に記載の止水パネルと共に用いられる支柱は、上端から止水パネルを嵌めこむという構造上の問題から、支柱の上端を開放可能な設計にしておく必要があったが、支柱の上端が開放されていると心ない通行者からゴミやガムを詰められ、浸水時に迅速に止水パネルが設置できないという問題や、泥酔者等による物理的な衝撃によって、支柱が歪み、迅速に止水パネルが設置できないという問題があった。これらの問題は、集中豪雨下の１分１秒を争う環境で迅速に対応する必要がある時に、作業の遅延を引き起こすことがあった。
【０００６】
本発明はこのような問題点に鑑みてなされたものであり、本発明の課題は、集中豪雨等の緊急時に、迅速に止水板を設置できる支柱、及び、その支柱を含む浸水防止装置を提供することにある。
【課題を解決するための手段】
【０００７】
本発明者らは、上記課題を解決すべく鋭意検討した結果、支柱上端を開放不可能な構造とすることで、上記課題が解決できることを見いだし、本発明に到達した。
すなわち、本発明は、下記［１］〜［９］の特徴を有する。
［１］浸水防止装置の支柱であって、前記支柱は、側部に凹溝が設けられており、止水板の側端部が、前記支柱の側方から前記凹溝の中に嵌め込まれて取り付けられるようになっている、浸水防止装置の支柱において、
前記支柱の上端部が、開閉不可能な閉鎖端になっていることを特徴とする浸水防止装置の支柱。
［２］前記止水板が巻回可能である上記［１］に記載の浸水防止装置の支柱。
［３］前記止水板が炭素繊維及び熱可塑性樹脂を含む上記［１］又は［２］に記載の浸水防止装置の支柱。
［４］前記止水板が、スキン部と縦リブ部とを有する上記［１］〜［３］のいずれか１項に記載の浸水防止装置の支柱。
［５］前記スキン部が、炭素繊維と熱可塑性樹脂との複合材からなる上記［４］に記載の浸水防止装置の支柱。
［６］前記支柱の側部に開閉可能な閉鎖板を有する上記［１］〜［５］のいずれか１項に記載の浸水防止装置の支柱。
［７］前記支柱の上端部は、前記支柱の側部に着脱不可能に結合されている上記［１］〜［６］のいずれか１項に記載の浸水防止装置の支柱。
［８］前記支柱の上端部は、前記支柱の側部に溶接により結合されている上記［７］に記載の浸水防止装置の支柱。
［９］上記［１］〜［８］のいずれか１項に記載の浸水防止装置の支柱を含む、浸水防止装置。
【発明の効果】
【０００８】
本発明の止水板の支柱は、必要な時に迅速に設置することができる。さらに本発明の止水シートは軽量で持ち運びが容易で保管時にはコンパクトであり、熟練した作業員でなくとも容易に設置することができ、本発明の支柱と組み合わせることで、必要な時に迅速に止水板を設置することができる。
【図面の簡単な説明】
【０００９】
【図１】本発明の一実施形態に係る浸水防止装置を背面側から見た斜視図である。
【図２】本発明の一実施形態に係る浸水防止装置の分解斜視図である。
【図３】本発明の一実施形態に係る浸水防止装置を正面側から見た斜視図である。
【図４】本発明の一実施形態に係る止水板の断面図である。
【図５】本発明の一実施形態に係る止水板の断面図であって、止水ゴム部を折り曲げたときの状態を示す。
【図６】本発明の一実施形態に係る支柱の斜視図である。
【発明を実施するための形態】
【００１０】
以下、本発明の一実施形態について図面を参照に説明する。
［浸水防止装置］
浸水防止装置３０は、図１〜３に示すように、止水板１０と、所定の間隔をおいて設けられる一対の支柱材３１、３１とを備える。止水板１０は、支柱材３１、３１の間に配置され、その両側端部が一対の支柱材３１、３１それぞれに取り付けられ、各種建物、地下の出入口、通路などを塞いで、大雨や洪水等が発生した際、氾濫した水が道路側から建物、地下などに浸入するのを防止するものである。建物としては、家屋、ビルなどあらゆるものでよく、浸水防止装置３０は、例えば、ビル、地下への出入口、家屋の玄関などに配置されるとよい。
【００１１】
<止水板>
以下、まず止水板について詳細に説明する。
図１〜５に示すように、止水板１０は、並設される複数の縦リブ部１１Ｂを有する止水シート１１を必須とし、止水シート１１の下端に止水ゴム部１２を有してもよい。止水シート１１は、両側の支柱材３１、３１間に張設可能な横幅を有するシート本体１１Ａと、シート本体１１Ａの一方の面において、シート本体１１Ａの横幅方向に一定間隔で並べられ、かつシート本体１１Ａから突設する縦リブ部１１Ｂとを有する。隣接する縦リブ部１１Ｂ、１１Ｂは、これらの間に配置され、シート本体１１Ａにより構成されるスキン部１１Ｃにより接続される。止水板１０は、縦リブ部１１Ｂ、１１Ｂの間のスキン部１１Ｃを基点に湾曲させられることで巻回可能となる。
【００１２】
＜止水シート＞
浸水防止装置３０において、止水シート１１は、縦リブ部１１Ｂが設けられる面（以下、「正面」ともいう）１１Ｄが、浸水の上流側に向けられる面となり、縦リブ部１１Ｂが設けられないシート本体１１Ａ側の面（以下、「背面」ともいう）１１Ｅが、浸水の下流側に向けられた面となる。なお、浸水の上流側とは、水が氾濫などした道路側であり、浸水の下流側は、浸水を防止する対象である建物、地下側である。
【００１３】
図３〜５に示すように、縦リブ部１１Ｂは、シート本体１１Ａの上端部から下端部まで延在し、縦リブ部１１Ｂの下端面と、シート本体１１Ａの下端面とが面一となっている。したがって、後述するように、止水シート１１は、止水ゴム部１２の上に立設されるが、そのとき、シート本体１１Ａの下端面及び縦リブ部１１Ｂの下端面は、止水ゴム部１２の上面に当接することになり、これにより、止水板１０の下端部の水密性が優れたものとなる。なお、縦リブ部１１Ｂは、浸水防止装置３０において、その長さ方向と設置面（床面）とのなす角度が、４５〜９０°、好ましくは８０〜９０°、最も好ましくは９０°となるものである。この角度は９０°に近くなるほど、止水板１０を適切に巻回させることが可能になる。
【００１４】
止水シート１１のスキン部１１Ｃを構成するシート本体１１Ａは、繊維と合成樹脂の複合材からなるものであり、繊維と繊維に含浸させた合成樹脂を含むものである。具体的には、繊維状基材に合成樹脂を含浸させた複合基材を有することが好ましい。繊維状基材としては、連続繊維を使用したものが好ましく、織物、編物、不織布、一方向に連続繊維が配列されてなる一方向連続繊維などが挙げられ、これらの中では織物がより好ましい。繊維状基材を構成している繊維としては、特に限定されないが、ガラス繊維及び炭素繊維から選択されることが好ましく、機械物性の観点から炭素繊維がより好ましく用いられる。炭素繊維としては、例えば、ＰＡＮ系炭素繊維、ＰＩＴＣＨ系炭素繊維などが挙げられる。ガラス繊維としては、例えば、Ｅガラス繊維などが挙げられる。
【００１５】
縦リブ部１１Ｂは、繊維と合成樹脂の複合材からなり、合成樹脂から構成され、縦リブ部１１Ｂの長さ方向に延在する芯部と、この芯部の少なくとも一部を被覆する表皮層とを含むことが好ましい。表皮層は、樹脂含浸繊維が好ましく、樹脂含浸繊維は、繊維状補強材と、この繊維状補強材に含浸された合成樹脂とを含む。
また、表皮層は、止水シート１１の表面において、芯部のみならず、隣接する縦リブ部１１Ｂ、１１Ｂ間のスキン部１１Ｃの表面も覆うように形成されていることが好ましい。この場合、表皮層は、縦リブ部１１Ｂ、１１Ｂ間のスキン部１１Ｃにおいてシート本体１１Ａを構成する上記複合基材上に積層されるとよい。
【００１６】
表皮層に使用される繊維状補強材としては、連続繊維を使用したものが好ましく、織物、編物、不織布、一方向に連続繊維が配列されてなる一方向連続繊維などが挙げられ、一方向連続繊維がより好ましい。一方向連続繊維は、横方向、すなわち、各縦リブ部１１Ｂの長さ方向と交差するように延在することが好ましい。繊維状補強材を構成する繊維としては、特に限定されないが、ガラス繊維及び炭素繊維から選択されることが好ましく、防水性及び表面外観の観点からガラス繊維がより好ましく用いられる。炭素繊維としては、例えば、ＰＡＮ系炭素繊維、ＰＩＴＣＨ系炭素繊維などが挙げられる。ガラス繊維としては、例えば、Ｅガラス繊維などが挙げられる。
また、繊維状基材、及び繊維状補強材のうち少なくとも一方は、炭素繊維であることがより好ましい。すなわち、止水シートの繊維は、少なくとも一部が炭素繊維であることがより好ましい。また、繊維状基材が炭素繊維、繊維状補強材がガラス繊維であることがさらに好ましい。
【００１７】
止水シート１１に使用する合成樹脂としては、熱可塑性樹脂又は熱硬化性樹脂の何れであってもよいが、熱可塑性樹脂が好ましい。熱可塑性樹脂としては、例えば、ポリオレフィン系樹脂、ポリエステル系樹脂、ポリアミド樹脂などが挙げられ、これらの中では、ポリオレフィン系樹脂、特にポリプロピレン樹脂が好ましい。熱硬化性樹脂としては、エポキシ樹脂、不飽和ポリエステル樹脂、フェノール樹脂、メラミン樹脂、ポリウレタン樹脂などが挙げられる。
止水シート１１において、シート本体１１Ａ、縦リブ部１１Ｂを構成するための芯材及び表皮層に使用する合成樹脂は、いずれも同種のものを使用してもよいし、異なるものを使用してもよいが、同種のものを使用することが好ましい。したがって、シート本体１１Ａ（すなわち、スキン部）、及び縦リブ部１１Ｂに使用する合成樹脂は、いずれもポリオレフィン系樹脂、特にポリプロピレン樹脂が好ましい。
【００１８】
＜止水ゴム＞
止水ゴム部１２を構成するゴムは、従来公知のゴムが使用可能であり、天然ゴム（ＮＲ）、イソプレンゴム（ＩＲ）、ブタジエンゴム（ＢＲ）、スチレンブタジエンゴム（ＳＢＲ）、クロロプレンゴム（ＣＲ）、ブチルゴム（ＩＩＲ）、アクリロニトリルブタジエンゴム（ＮＢＲ）、水素化アクリロニトリルブタジエンゴム（ＨＮＢＲ）、ノルボルネンゴム（ＮＯＲ）、エチレン・プロピレンゴム（ＥＰＭ）、エチレン・プロピレン・ジエンゴム（ＥＰＤＭ）、アクリルゴム（ＡＣＭ）、フッ素ゴム（ＦＫＭ）、クロロスルホン化ポリエチレン（ＣＳＭ）、エピクロロヒドリンゴム、シリコーンゴム、ウレタンゴムなどが挙げられる。
これらゴムは、一種単独で使用してもよいし、２種以上を使用してもよい。
また、これらの中では、エチレン・プロピレン・ジエンゴム（ＥＰＤＭ）が好ましい。ＥＰＤＭは、耐熱性、耐候性などに優れ、かつ、粘着剤、特にアクリル系粘着剤との接着性及び脱着性に優れるため、耐久性及びメンテナンス性が良好となりやすい。
【００１９】
止水ゴム部１２は、一般的に上記ゴムに、各種添加剤が配合されてもよい。添加剤は、通常のゴムに使用される各種添加剤が使用され、軟化剤、可塑剤、架橋剤、老化防止剤、酸化防止剤、架橋助剤、着色剤、充填材などが挙げられる。止水ゴム部１２は架橋剤が配合される場合、架橋剤により架橋されているとよい。架橋剤は、加硫剤とも呼ばれるもので、硫黄系架橋剤、過酸化物系架橋剤などが挙げられる。また、本実施形態において止水ゴム部１２はシート状であるが、本発明の止水ゴム部はシート状以外の形状を有していてもよい。
【００２０】
止水板１０は、止水シート１１と止水ゴム部１２の間に配置される粘着層を備えていてもよい。その粘着層により止水ゴム部１２が止水シート１１に接着される。止水シート１１と止水ゴム部１２の間には、より具体的には、図４に示すように、基材１３Ａと、基材１３Ａの両面それぞれに設けられた粘着層１３Ｂ、１３Ｃとが配置されるとよい。
ただし、止水シート１１と止水ゴム部１２の間には単層の粘着層が設けられ、その単層の粘着層により、止水ゴム部１２が止水シート１１に接着されてもよい。
【００２１】
基材１３Ａは、熱可塑性樹脂層であることが好ましく、具体的には、熱可塑性樹脂フィルム、熱可塑性樹脂クロスなどが挙げられ、熱可塑性樹脂クロスが好ましい。基材に使用される熱可塑性樹脂としては、ポリエチレン樹脂、ポリプロピレン樹脂などのポリオレフィン系樹脂、軟質ポリ塩化ビニル樹脂、ポリアミド樹脂、ポリエチレンテレフタレートなどのポリエステル樹脂などが挙げられる。また、クロスとしては、織布、編布、不織布などが挙げられる。
【００２２】
粘着層は、粘着剤からなるものであり、具体的には、アクリル系粘着剤、ゴム系粘着剤、ウレタン系粘着剤、シリコ−ン系粘着剤などが使用され、これらの中ではアクリル系粘着剤が好ましい。アクリル系粘着剤は、各種の（メタ）アクリレート由来の構成単位を有するアクリル系共重合体を含有し、適宜、粘着付与樹脂、架橋剤などが配合されてもよい。
粘着層にアクリル系粘着剤を使用することで、止水ゴム部１２と止水シート１１の間の水密性を良好にすることが可能である。また、ＥＰＤＭなどの各種ゴムとの剥離性が良好であり、止水ゴム部１２を止水シート１１から剥離するときに、止水シート１１に糊残りが生じにくくなる。
また、ゴム系粘着剤は、ゴム成分を含有し、適宜、粘着付与樹脂、架橋剤などが配合されてもよい。ゴム成分としては、スチレン系熱可塑性エラストマー、スチレン−ブタジエンゴム、ポリイソブチレンゴム、ポリイソプレンゴム、クロロプレンゴム、ブチルゴム、ニトリルブチルゴムなどが挙げられる。
【００２３】
本発明において、縦リブ部１１Ｂの芯材がポリプロピレン、表皮層がポリプロピレンが含浸された床面に平行な１方向連続ガラス繊維であり、スキン部１１Ｃがポリプロピレンが含浸された炭素繊維織物である止水シート１１と、アクリル系粘着層と、ＥＰＤＭからなる止水ゴム部１２とからなる止水板１０が最も好ましい態様であるが、本発明は上記態様に限定されるものではない。
【００２４】
止水シート１１は、一方の面（正面１１Ｄ）に縦リブ部１１Ｂを有するとともに、他方の面（背面１１Ｅ）には縦リブ部１１Ｂが設けられず、その背面１１Ｅに止水ゴム部１２が粘着層によって接着されていてもよい。止水シート１１の背面１１Ｅは、通常、平面状であるので、止水ゴム部１２を接着しやすくなる。また、後述するように、止水ゴム部１２が背面１１Ｅ側から正面１１Ｄ側に折り曲げられることになるので、上流側からの浸水に対する止水性が良好となる。
また、止水板１０は、止水ゴム部１２が止水シート１１に接着されてなるものであるが、止水ゴム部１２が弾性を有するので、止水板１０は、止水シート１１が止水ゴム部１２に接着されたままこれらが一体となって図２に示すように巻回させることが可能になる。なお、止水ゴム部１２は、折り曲げずに止水シート１１と同様にシート状に延ばされた状態から巻回させるとよい。
【００２５】
［支柱材］
次に、止水板１０の両側端部と、支柱材との接続構造を説明する。
図１〜３に示すように、浸水防止装置３０が有する支柱材３１、３１それぞれは、互いに対向して設けられ、止水板１０の両側端部が側方から挿入され、上端部が閉鎖された縦溝３１Ａ、３１Ａを備える。縦溝３１Ａは、例えば横断面コ字状である。また、支柱材３１、３１は、出入口又は通路の両側壁面などに形成されるとよい。
【００２６】
止水板１０の両側端部それぞれには、縦溝３１Ａ、３１Ａに挿入されるための側板１４、１４が設けられる。側板１４は、剛直性を有する金属製または合成樹脂製の帯板材からなる。側板１４は、横幅方向における外側部分が縦溝３１Ａに挿入されるとともに、横幅方向における内側部分が止水シート１１の両側端部それぞれの正面１１Ｄ上に重ね合わせられ、ボルト及びナットなどの固定手段によって止水シート１１に固定される。また、側板１４の下端面は、止水シート１１の下端面と面一となるように配置されており、したがって、側板１４の下端面も、折り曲げられた止水ゴム部１２の上面に当接することになる。
また、側板１４の厚さは、縦溝３１Ａの溝幅よりも薄く形成されるとともに、縦溝３１Ａに挿入された側板１４の外側部分の両面それぞれには、スポンジ材などの弾性部材１５が取り付けられている。また、側板１４の側端面外側にも、弾性部材１５が設けられるとよい。弾性部材１５は、縦溝３１Ａの内面に圧着することにより、止水板１０と支柱材３１の間の水密性が確保される。
【００２７】
図６は、本発明の一実施形態に係る支柱４１を示す。支柱は、側部に凹溝４２が設けられており、止水板１０の側端部が、支柱４１の側方から凹溝の中に嵌め込まれて取り付けられるようになっている。支柱４１の上端部４３は、開閉不可能な閉鎖端になっている。具体的には、支柱４１の上端部４３は、支柱４１の側部に着脱不可能に結合されており、例えば、溶接により結合されている。この構造にすることによって、支柱４１の上端からの異物混入を防止することができ、また、支柱４１の構造的な強度が上がり、外部からの物理的な衝撃に対する耐性も向上する。さらに、本実施形態では、支柱内部に仕切り板４５が設けられている。仕切り板４５によって、凹溝とは反対側にも空間４６が形成され、この空間４６の中には、止水板保持具（ロープ）等の用具等を保管しておくことが可能である。さらに、支柱４１は、支柱４１の側部に開閉可能な閉鎖板４４を有している。この構造によって、未使用時に、支柱４１の側方からの異物混入を防止することができ、外部からの物理的な衝撃に対する耐性も向上する。また、支柱内に保管されている用具等の紛失を防げるため、防犯上の利益が有り、美観も向上する。
【００２８】
ただし、本実施形態では、止水板の両側端部が縦溝内に挿入され、かつ縦溝内部の内面に圧着するように設けられることで水密性が確保されれば、上記構成に限定されない。例えば、側板１４の外側部分の一方の面（例えば、上流側に向けられた面）のみに弾性部材１５が取り付けられるとともに、側板１４の外側部分の他方の面（例えば、下流側に向けられた面）側から側板１４を押圧するレバー、螺軸等が設けられてもよい。
さらに、止水板１０と支柱材３１の間の水密性が確保されていれば、縦溝３１Ａ、側板１４が設けられる必要はなく、縦溝３１Ａ、側板１４以外の部材により、止水板１０が支柱材３１に圧着され、これらの間に水密性が確保されてもよい。
例えば、側板１４が省略され、止水シート１０の両側端部に直接取り付けられた弾性部材が、支柱材３１に圧着することで、止水板１０と支柱材３１の間の水密性が確保されてもよい。この場合、支柱材３１は、出入口又は通路の側壁面などであってもよい。また、弾性部材としては、ゴム部材などが使用されるとよく、上記した下端部に設けられた止水ゴム部と同様の構成を有するものであってもよい。
【００２９】
また、浸水防止装置３０は、図１〜３に示すように、さらに閂部材３２、及び圧着手段３３を有するとよい。閂部材３２は、剛直性を有する部材からなり、その長さ方向を水平にし、かつその正面側を止水シート１１の下側部分の背面１１Ｅに近接或いは接触させた状態で沿わせ、支持金具３４によって床面に固定させる。ただし、閂部材３２は、支持金具３４によって床面に固定させる必要はなく、例えば、両支柱材などに固定してもよい。また、閂部材３２は、図１、２に示すように、止水シート１１の横幅方向に直列的に複数本配置してもよいし、１本であってもよい。
閂部材３２は、張設された止水シート１１が両側端部を支点に下流側に湾曲変形しようとすると、止水シート１１を背面１１Ｅから支持して、止水シート１１が湾曲変形することを防止する。
【００３０】
圧着手段３３は、長さ方向に伸縮可能なゴム製の弾性ベルト体３３Ａと、弾性ベルト体３３Ａの上端部に装着され、止水シート１１の上端部に着脱自在に係止させるフック形状の取付用金具３３Ｂと、弾性ベルト体３３Ａの下端部に装着され、閂部材３２に連結させる連結用金具３３Ｃとを備える。連結用金具３３Ｃは、図1、２に示すように、弾性ベルト体３３Ａの下端部に接続された金属製環体３３Ｄと、金属製環体３３Ｄと閂部材３２それぞれに係脱自在に係止される係止具３３Ｅとを備えるが、このような構成に限定されず、例えば、弾性ベルト体３３Ａの下端部を、閂部材３２の上面に直接連結させる金具であってもよい。また、圧着手段３３が止水シート１１の上端部に係止し、かつ閂部材３２に連結されたとき、弾性ベルト体３３Ａは伸長した状態となるとよく、適宜長さ調整可能に構成されてもよい。
【００３１】
圧着手段３３は、弾性ベルト体３３Ａの弾性収縮力によって閂部材３２を支点として、取付金具３３Ｂを介して止水シート１１を下方に押圧する。この押圧力によって止水シート１１が止水ゴム部１２をさらに押圧することで、止水ゴム部１２を床面に圧着させ、止水板１０の下端部側の水密性を確保する。
なお、圧着手段３３の数は、止水シート１１の横幅の長さに応じて適宜変更すればよく、通常は複数個設けられる。複数個の圧着手段３３は、図１に示すように、止水シート１１の横幅方向に間隔をおいて並設される。
【００３２】
なお、閂部材３２及び圧着手段３３は、適宜省略してもよく、閂部材３２、圧着手段３３以外の手段により、止水シート１１を上方から押圧して、止水ゴム部１２を床面に圧着させてもよい。
また、浸水防止装置３０は、止水板１０を適宜支持する部材をさらに有してもよく、例えば、止水板１０を通路又は出入口の両側壁面によって支持させるための支持部材などをさらに有してもよい。そのような支持部材は、止水板１０を両側壁面などに接続するように設けられるとよい。
【００３３】
［浸水防止装置の使用態様］
次に、浸水防止装置３０の使用態様を説明する。浸水防止装置３０は、不使用時には止水板１０、閂部材３２、及び圧着手段３３など、支柱材３１以外の浸水防止装置３０を構成する部品が纏められて保管されるとよい。なお、止水板１０は、上記したように、止水シート１１及び止水ゴム部１２が粘着層により接着されており、これらは上記したように一体となったまま巻回されて保管されるとよい。
一方、使用するときには、保管されていた止水板１０、閂部材３２、及び圧着手段３３等を設置場所まで搬出する。その後、止水板１０を展開し、かつその下端部に取り付けられている止水ゴム部１２のはみ出た部分を、止水シート１１の正面１１Ｄ側に折り曲げるとともに、その折り曲げた止水ゴム部１２を床面上に敷設する。敷設した止水ゴム部１２の上には、止水シート１１及び側板１４を立設させる。また、止水シート１１の両側端部に取り付けられた側板１４、１４それぞれを支柱材３１、３１の縦溝３１Ａ、３１Ａ内に挿入する。そして、弾性部材１５を縦溝３１Ａの内面に密着させるとともに、止水シート１１を支柱材３１、３１間に張設して、止水板１０を両支柱材３１、３１間に固定させる。
【００３４】
また、止水シート１１の背面１１Ｅ側に閂部材３２及び圧着手段３３を配設させる作業も行う。具体的には、まず、閂部材３２を、長さ方向を水平にし、かつ止水シート１１の下側部分の背面１１Ｅに沿って配置させた状態にして、支持金具３４によって床面などに固定させる。その後、圧着手段３３の弾性ベルト体３３Ａの上端部に装着している取付用金具３３Ｂを止水シート１１の上端部に引っ掛けて係止させるとともに、弾性ベルト体３３Ａの下端部に装着している連結用金具３３Ｃを閂部材３２に取り付けるとよい。このとき、弾性ベルト体３３Ａは伸長させた状態にする。
また、止水板を出入口又は通路の側壁面などによってさらに支持させるための支持部材が別途設けられる場合には、その支持部材も適宜取り付けるとよい。
【００３５】
以上のようにして設置された浸水防止装置３０は、止水板１０の両側端部、及び下端部が支柱材３１及び床面に水密に密着されることになる。したがって、上流側から水が流れてきても止水板１０により止水され、下流側に浸水することが防止される。
また、本実施形態における止水板１０は、止水シート１１が合成樹脂及び繊維により構成されることで、軽量で持ち運びが容易であるとともに、巻回可能であるため保管時にはコンパクトとなる一方で、熟練した作業員でなくとも容易に設置することができる。
さらに、止水板１０は、止水シート１１が合成樹脂及び繊維により構成されるとともに、止水ゴム部１２が粘着層により止水シート１１に接着されることで、複数回使用できる耐久性を有する。加えて、止水ゴム部１２は劣化したとしても、容易に取り替えることが可能であり、メンテナンス性も良好である。
【符号の説明】
【００３６】
１０  止水板
１１  止水シート
１１Ａ  シート本体
１１Ｂ  縦リブ部
１１Ｃ  スキン部
１１Ｄ  正面
１１Ｅ  背面
１２  止水ゴム部
１３Ａ  基材
１３Ｂ、１３Ｃ  粘着層
１４  側板
１５  弾性部材
３１  支柱材
３１Ａ  縦溝
３２  閂部材
３３  圧着手段
３４  支持金具
４１  支柱
４２  凹溝
４３  上端部
４４  閉鎖板
４５  仕切り板
４６  空間
【図１】
2019138074.tif 000003
【図２】
2019138074.tif 000004
【図３】
2019138074.tif 000005
【図４】
2019138074.tif 000006
【図５】
2019138074.tif 000007
【図６】
2019138074.tif 000008